(57)【特許請求の範囲】
【請求項１】
乗物用シートのバックフレーム構造であって、
上下方向に延びる第１サイドフレーム及び第２サイドフレームと、前記第１サイドフレームの上端部側と前記第２サイドフレームの上端部側との間を架け渡し状に連結するアッパフレームと、を有し、
前記第１サイドフレームは横断面が多角形の閉断面であり、前記第２サイドフレームは横断面が多角形の閉断面であり、
前記第１サイドフレームの横断面の外形線形状と前記第２サイドフレームの横断面の外形線形状とは左右の中心線に関して線対称形状であるとともに、
前記第１サイドフレームの横断面の左右方向に延びる軸に関する断面二次モーメントが前記第２サイドフレームの横断面の左右方向に延びる軸に関する断面二次モーメントより大きく、
前記第１サイドフレームの横断面の前後方向の外形線と内形線の間隔が、前記第２サイドフレームの横断面の前後方向の外形線と内形線の間隔より大きく、
前記第１サイドフレームの横断面の左右方向の外形線と内形線の間隔が、前記第２サイドフレームの横断面の左右方向の外形線と内形線の間隔とほぼ等しい乗物用シートのバックフレーム構造。
【発明の詳細な説明】
【技術分野】
【０００１】
本発明は、自動車、飛行機、船、電車等の乗物に搭載される乗物用シートのバックフレーム構造に関する。
【背景技術】
【０００２】
乗物用シートのバックフレーム構造の１つとして、シートバックの骨格となる前面視で略逆Ｕ字状の門型のバックフレームが、上下方向に延びる一対のサイドフレームの上端部側をアッパフレームで架け渡し状に連結して形成されているものがある。特許文献１に記載されたこのようなタイプのバックフレームは、３点式シートベルト内蔵型の乗物用シート用のものである。特許文献１のバックフレーム構造においては、シートベルトからの荷重が直接印加される側の高強度サイドフレーム上端部と他側の通常強度サイドフレーム上端部とがアッパフレームで連結されて、高強度サイドフレーム上端部にベルトガイドが取付けられている。ベルトガイドはシートバック内部に配設されたシートベルト装置のウェビング巻取り装置から繰り出されたウェビングをバックフレームの背面側から前面側に向けて延びるよう誘導する部材である。
【先行技術文献】
【特許文献】
【０００３】
【特許文献１】特開２０１４−１５６２１２号公報
【発明の概要】
【発明が解決しようとする課題】
【０００４】
上述の構造において、部品点数を削減するためアッパフレームにベルトガイドを一体化しようとすると、ベルトガイドの取付け位置が左右のシートで異なるので左右のシートにおいてそれぞれ異なる構造のアッパフレームを作る必要がある。ここで、アッパフレームを繊維強化樹脂製又は軽合金製としてベルトガイド部分を成形型の入れ子構造として１つの成形型を用いて左右作り分けたとしても、高強度サイドフレーム上端部と通常強度サイドフレーム上端部の形状が異なると左右別構造のアッパフレームとせざるを得ない。なぜならば、ベルトガイドを配置する側に高強度サイドフレーム上端部を取付けなければならないため高強度サイドフレーム上端部が取付く部分と通常強度サイドフレーム上端部が取付く部分も左右入れ替えなければならないからである。
【０００５】
このような問題に鑑み本発明の課題は、乗物用シートのバックフレーム構造において、部品種類の増加を抑制して左右のサイドフレームの曲げ強度が異なる構造を提供することにある。
【課題を解決するための手段】
【０００６】
本発明の第１発明は、乗物用シートのバックフレーム構造であって、上下方向に延びる
第１サイドフレーム及び第２サイドフレームと、前記第１サイドフレームの上端部側と前記第２サイドフレームの上端部側との間を架け渡し状に連結するアッパフレームと、を有し、前記第１サイドフレームは横断面が一定の閉断面又は閉断面の一部を開いた開断面であり、前記第２サイドフレームは横断面が一定の閉断面又は閉断面の一部を開いた開断面であり、前記第１サイドフレームの横断面の外形線形状と前記第２サイドフレームの横断面の外形線形状とは左右の中心線に関して線対称形状であるとともに、前記第１サイドフレームの横断面の断面二次モーメントは前記第２サイドフレームの横断面の断面二次モーメントより大きいことを特徴とする。
【０００７】
第１発明によれば、第１サイドフレームの横断面の外形線形状と第２サイドフレームの横断面の外形線形状とは左右の中心線に関して線対称形状であるので、同一のアッパフレームの左右には第１サイドフレームと第２サイドフレームとがいずれも選択的に取付けられる。これによって、左右の自動車用シートで第１サイドフレームと第２サイドフレームの取付け側が左右異なっても同一のアッパフレームが使用できる。また、第１サイドフレームの横断面の断面二次モーメントは第２サイドフレームの横断面の断面二次モーメントより大きいので第１サイドフレームを構成する面部の方が第２サイドフレームを構成する対応する面部より少なくとも一部の面部において肉厚が厚い。これによって、第１サイドフレームの曲げ剛性を第２サイドフレームの曲げ剛性より高められる。すなわち、アッパフレームの種類の増加を抑制して左右のサイドフレームの曲げ強度が異なる構造を提供できる。
【０００８】
本発明の第２発明は、上記第１発明において、前記第１サイドフレームの横断面の左右方向に延びる軸に関する断面二次モーメントが前記第２サイドフレームの横断面の左右方向に延びる軸に関する断面二次モーメントより大きいことを特徴とする。
【０００９】
第２発明によれば、第１サイドフレームにシートベルト装置のウェビングから印加される曲げ荷重は主として第１サイドフレームを前後方向に曲げるように作用する。これによって、第１サイドフレームの横断面における左右方向に延びる軸に関する断面二次モーメントを第２サイドフレームの横断面における左右方向に延びる軸に関する断面二次モーメントより大きくすることで効率的にバックフレームの曲げ剛性を高めることができる。換言すれば、第２サイドフレームの剛性を必要以上に高めなくてよい。
【００１０】
本発明の第３発明は、上記第１発明又は第２発明において、前記第１サイドフレームと前記第２サイドフレームの横断面とは、多角形の閉断面であることを特徴とする。
【００１１】
第３発明によれば、第１サイドフレームの曲げ剛性を効率的に高められるとともに、アッパフレームに対する第１サイドフレーム及び第２サイドフレームの回転を抑制して強固に取付けることができる。
【００１２】
本発明の第４発明は、上記第３発明において、前記第１サイドフレームの横断面の前後方向の外形線と内形線の間隔が、前記第２サイドフレームの横断面の前後方向の外形線と内形線の間隔より大きいことを特徴とする。
【００１３】
第４発明によれば、第１サイドフレームの横断面における前後方向に位置する面部を第２サイドフレームの横断面における前後方向に位置する面部より肉厚にすることによって効率よくバックフレームの前後方向の曲げ剛性を高めることができる。
【図面の簡単な説明】
【００１４】
【図１】本発明の一実施形態にかかる右席の自動車用シートのバックフレームの斜視図である。
【図２】上記実施形態のバックフレームの分解斜視図である。
【図３】図１のＩＩＩ−ＩＩＩ矢視線端面図である。
【図４】図１のＩＶ−ＩＶ矢視線端面図である。
【図５】図１のＶ−Ｖ矢視線端面図である。
【図６】図５のＶＩ−ＶＩ矢視線端面図である。
【図７】図５のＶＩＩ−ＶＩＩ矢視線端面図である。
【図８】図１のＶＩＩＩ−ＶＩＩＩ矢視線端面図である。
【図９】図３に対応する左席の自動車用シートのバックフレームの端面図である。
【発明を実施するための形態】
【００１５】
図１〜図９は、本発明の一実施形態を示す。本実施形態は、自動車用シートのバックフレーム（以下、単にバックフレームという）に本発明を適用した例である。各図中、矢印によりバックフレームを取付けた自動車用シートを自動車のフロアに取付けた時の自動車及び自動車用シートの各方向を示している。以下の説明において、方向に関する記述は、この方向を基準として行うものとする。
【００１６】
図１および図２に示すように、本実施形態のバックフレーム１０は、シートベルト内蔵タイプの右席の自動車用シートのバックフレームであってシートベルト装置のウェビング巻取り装置（図示しない）を取付け可能なものである。バックフレーム１０は、上下方向に延びる右サイドフレーム１１と、上下方向に延びる左サイドフレーム１２と、右サイドフレーム１１と左サイドフレーム１２の上端部側同士を連結するアッパフレーム１３と、下端部側同士を連結するロアフレーム１４と、を有する。ここで、右サイドフレーム１１と左サイドフレーム１２が、それぞれ、特許請求の範囲の「第１サイドフレーム」と「第２サイドフレーム」に相当する。
【００１７】
右サイドフレーム１１は、図３に示す断面形状を有するアルミニウム合金の押出し材をベースに作られている。図３において、右サイドフレーム１１の横断面は変形七角形をしており、右側面部１１ａと、左側面部１１ｂと、前面部１１ｃと、後面部１１ｄと、前左面取り部１１ｅと、後左面取り部１１ｆと、後右面取り部１１ｇと、を有する。右側面部１１ａと左側面部１１ｂとは、シート前後方向に対してわずかに左方（シート内側方向）に傾いて互いに平行に延びている。前面部１１ｃと後面部１１ｄとは、シート左右方向に対してわずかに後方に傾いて互いに平行に延びている。前左面取り部１１ｅは、前面部１１ｃの左端部と左側面部１１ｂの前端部とを結んで延びる部分であり、左側面部１１ｂに対して約４５度の傾き角度を有している。後左面取り部１１ｆは、後面部１１ｄの左端部と左側面部１１ｂの後端部とを結んで延びる部分であり、左側面部１１ｂに対して約３０度の傾き角度を有している。後右面取り部１１ｇは、後面部１１ｄの右端部と右側面部１１ａの後端部とを結んで延びる部分であり、右側面部１１ａに対して約５度の傾き角度を有している。
【００１８】
左サイドフレーム１２は、図３に示す断面形状を有するアルミニウム合金の押出し材をベースに作られている。図３において、左サイドフレーム１２の横断面は変形七角形をしており、左側面部１２ａと、右側面部１２ｂと、前面部１２ｃと、後面部１２ｄと、前右面取り部１２ｅと、後右面取り部１２ｆと、後左面取り部１２ｇと、を有する。左側面部１２ａと右側面部１２ｂとは、シート前後方向に対してわずかに右方（シート内側方向）に傾いて互いに平行に延びている。前面部１２ｃと後面部１２ｄとは、シート左右方向に対してわずかに後方に傾いて互いに平行に延びている。前右面取り部１２ｅは、前面部１２ｃの右端部と右側面部１２ｂの前端部とを結んで延びる部分であり、右側面部１２ｂに対して約４５度の傾き角度を有している。後右面取り部１２ｆは、後面部１２ｄの右端部と右側面部１２ｂの後端部とを結んで延びる部分であり、右側面部１２ｂに対して約３０度の傾き角度を有している。後左面取り部１２ｇは、後面部１２ｄの左端部と左側面部１２ａの後端部とを結んで延びる部分であり、左側面部１２ａに対して約５度の傾き角度を有している。
【００１９】
図３に示すように、右サイドフレーム１１の横断面形状の外形線と左サイドフレーム１２の横断面形状の外形線とは、バックフレーム１０の左右方向中心線ＣＬに関して線対称の関係にある。また、右サイドフレーム１１の右側面部１１ａ及び左側面部１１ｂの肉厚と、左サイドフレーム１２の左側面部１２ａ及び右側面部１２ｂの肉厚と、はほぼ等しい。一方、右サイドフレーム１１の前面部１１ｃ及び後面部１１ｄの肉厚は、左サイドフレーム１２の前面部１２ｃ及び後面部１２ｄの肉厚のほぼ２倍程度である。これは、右サイドフレーム１１の上部にシートベルトをガイドするベルトガイド部２３ｂが配設され左サイドフレーム１２よりも前後方向に大きな曲げ荷重が印加されるのに対抗するため断面二次モーメントが大きくなるように形成されているためである。図１及び図２に示すように、右サイドフレーム１１と左サイドフレーム１２は、一定断面の押出し材が上下方向の中央部付近で前方に向って凸形状となるように折り曲げられて形成されている。また、右サイドフレーム１１の下端部側には、鉄製のプレス部品であるアッパアーム１５が取付けられている。アッパアーム１５は、２部品が最中状に組み合わされて１部品として形成された部品で、その上側部は水平方向の断面の内形線が右サイドフレーム１１の横断面形状の外形線に対応するようにサイドフレーム連結部１５ａとして形成されている。また、その下側部は平板状のリクライナ連結部１５ｂとして形成されリクライナ連結孔１５ｂ１が設けられている。右サイドフレーム１１の下端部側をアッパアーム１５のサイドフレーム連結部１５ａに挿入した状態で、４本のリベットＲで締結されて連結されている。左サイドフレーム１２の下端部側には前面部１２ｃが前方に向って押し広げられるとともに左側面部１２ａにリクライナを取付けるリクライナ連結孔１２ａ１が設けられたリクライナ連結部１２ｈが形成されている。
【００２０】
図９には図３に対応する左席の自動車用シートの右サイドフレーム１２０と左サイドフレーム１１０の断面形状を示す。図９の断面形状は、図３の断面形状を左右方向中心線ＣＬに関して左右を入れ替えた関係にある。すなわち、右席の自動車用シートの右サイドフレーム１１の各面部１１ａ〜１１ｆが、左席の自動車用シートの左サイドフレーム１１０の各面部１１０ａ〜１１０ｆにそれぞれ対応する。また、右席の自動車用シートの左サイドフレーム１２の各面部１２ａ〜１２ｆが、左席の自動車用シートの右サイドフレーム１２０の各面部１２０ａ〜１２０ｆにそれぞれ対応する。これによって、右サイドフレーム１１と左サイドフレーム１１０とは、同一断面のアルミニウム合金の押出し材を上下逆にすることによって使用することができる。また、左サイドフレーム１２と右サイドフレーム１２０とは、同一断面のアルミニウム合金の押出し材を上下逆にすることによって使用することができる。すなわち、２種類のアルミニウム合金の押出し材で左右の自動車用シートのサイドフレームを形成することができる。なお、左席の自動車用シートにおいては、右サイドフレーム１２０と左サイドフレーム１１０とが、それぞれ、特許請求の範囲の「第２サイドフレーム」と「第１サイドフレーム」とに相当する。
【００２１】
図１、図２、図４〜図７に示すように、アッパフレーム１３は下方に向って開口した横断面が略逆Ｕ字状の本体部２０と、本体部２０の下方開口側の中央部に開口を覆うように取付けられる蓋部材３０と、を有する。本体部２０は、積層した複数枚のカーボン繊維織物をエポキシ樹脂のマトリクス樹脂で固めた繊維強化複合樹脂成形品であり、前壁部２１、後壁部２２、上壁部２３、右壁部２４、左壁部２５を有する。
【００２２】
上壁部２３は、左右方向中央に位置する中央部２３ａと、右端部側に位置するベルトガイド部２３ｂと、左端部側に位置する台座部２３ｃと、を有する。中央部２３ａは、バックフレーム１０がクッションフレームの後部に対して起立した標準状態において略水平方向であって、後述するホルダ部３２に対して略垂直な方向に延びている面部である。中央部２３ａには、左右方向中心面に関して左右対称な位置に一対のホルダ挿入孔２３ｄが上下方向に貫通して設けられている。ホルダ挿入孔２３ｄの周縁部の中央部２３ａには、主としてホルダ部３２の前面部側を支持する前立ち壁部２３ｄ１が下方に向けて立設され、主としてホルダ部３２の後面部側を支持する後立ち壁部２３ｄ２が上方に向けて立設されている。詳しくは、前立ち壁部２３ｄ１は、ホルダ挿入孔２３ｄの周縁部の前辺部から両側辺部にかけて上面視で略Ｕ字状に配設され、後立ち壁部２３ｄ２は、ホルダ挿入孔２３ｄの周縁部の後辺部から両側辺部にかけて上面視で略Ｕ字状に配設されている。ベルトガイド部２３ｂは、上方に向かって隆起した左右方向に右下方に向かって傾斜する稜線を有する山形の部分である。ベルトガイド部２３ｂは、シートバック内部に配設されたウェビング巻取り装置（図示せず）から繰り出されたシートベルト装置のウェビング（図示せず）をバックフレーム１０の背面から着座乗員の上体前面に向けてガイドする機能を果たす。台座部２３ｃは、中央部２３ａに対しわずかに上方に向かって隆起した台状の部分でシートバックの肩部の形状を形成するためのものである。ベルトガイド部２３ｂと台座部２３ｃとは、アッパフレーム１３の成形型において入れ子部分（図示せず）を脱着することによって左右選択的に形成することができる。すなわち、アッパフレーム１３の成形型に入れ子部分（図示せず）を取付けて成形した部分が台座部２３ｃとなり、取付けないで成形した部分がベルトガイド部２３ｂとなる。左席の自動車用シートの本体部２０は、ベルトガイド部２３ｂが左端部側に、台座部２３ｃが右端部側に配置される。すなわち、ベルトガイド部２３ｂは右席左席とも車両外側に配置される。
【００２３】
前壁部２１は、上壁部２３の中央部２３ａに対して鈍角をなして前下方に向って延びている。また、前壁部２１は、アッパフレーム１３を右サイドフレーム１１及び左サイドフレーム１２に連結したとき、右サイドフレーム１１及び左サイドフレーム１２の上部において前面部１１ｃ及び前面部１２ｃとほぼ平行になるように延びている。前壁部２１の下端部には、端末部の剛性を高めるための厚肉部２１ａが設けられている。後壁部２２は、アッパフレーム１３を右サイドフレーム１１及び左サイドフレーム１２に連結したとき、右サイドフレーム１１及び左サイドフレーム１２の上部において後面部１１ｄ及び後面部１２ｄとほぼ平行になるように延びている。すなわち、前壁部２１と後壁部２２とは、互いに略平行に前下方に向って延びている。後壁部２２において、上壁部２３の中央部２３ａに対応する部分においては、その下側部が上壁部２３に対して略垂直に下方に向って延びて後述する蓋部材３０の後壁面部３１ｃを連結する連結面部２２ｂが形成されている。後壁部２２の下端部には、端末部の剛性を高めるための厚肉部２２ａが設けられている。
上壁部２３、前壁部２１、後壁部２２の右側端部は右壁部２４で連結され、上壁部２３、前壁部２１、後壁部２２の左側端部は左壁部２５で連結されて、下方に開口した略箱状の本体部２０として形成されている。
【００２４】
図８に示すように、右サイドフレーム１１と左サイドフレーム１２の上端部側に、上方からアッパフレーム１３が被せつけられたとき、右壁部２４の左側面は、右サイドフレーム１１の右側面部１１ａ及び後右面取り部１１ｇの右側面に当接するように形成されている。また、右サイドフレーム１１と左サイドフレーム１２の上端部側に、上方からアッパフレーム１３が被せつけられたとき、左壁部２５の右側面は、左サイドフレーム１２の左側面部１２ａ及び後左面取り部１２ｇの左側面に当接するように形成されている。なお、図９を参照して、右壁部２４の左側面は、左席の自動車用シートの右サイドフレーム１２０の右側面部１２０ａ及び後右面取り部１２０ｇの右側面にも当接可能である。また、左壁部２５の右側面は、左席の自動車用シートの左サイドフレーム１１０の左側面部１１０ａ及び後左面取り部１１０ｇの左側面にも当接可能である。
【００２５】
図２、図４〜図７に示すように、蓋部材３０はアルミニウムのダイキャスト成形品である。蓋部材３０は、上面視で略矩形状のベース部３１と、ベース部３１の左右端部後側に立設された一対の角筒状のホルダ部３２と、を有する。ベース部３１は、上壁面部３１ａと、前壁面部３１ｂと、後壁面部３１ｃと、を有する。上壁面部３１ａには、左右方向中央部に凹面部３１ａ１が設けられ、凹面部３１ａ１の左右両側にはそれぞれ台状に隆起した凸面部３１ａ２が設けられている。凸面部３１ａ２の後側にはホルダ部３２が立設されホルダ部３２の内筒部分は上下に貫通してヘッドレストサポート４０を差込可能とされている。ホルダ部３２の前面部と凸面部３１ａ２との間にはホルダ部３２を凸面部３１ａ２に対して安定して保持するための筋交い壁３２ａが設けられている。
【００２６】
図２、図４〜図７に示すように、蓋部材３０は一対のホルダ部３２の上端部側を本体部２０の一対のホルダ挿入孔２３ｄに、それぞれ下方から挿入した状態で本体部２０に対し組み付けられる。具体的には、ホルダ部３２の上端部から上下方向長さの１／３程度が中央部２３ａの上面から露出した状態で本体部２０の前壁部２１の下端部側と蓋部材３０の前壁面部３１ｂとを当接させて２本のリベットＲで締結固定する。また、同一の状態で、本体部２０の後壁部２２の連結面部２２ｂと蓋部材３０の後壁面部３１ｃとを当接させて２本のリベットＲで締結固定する。これによって、本体部２０の上壁部２３の中央部２３ａに対応する前壁部２１及び後壁面部３１ｃに対して蓋部材３０が固定され、その部分が閉じ断面構造となる。このとき、蓋部材３０の一対のホルダ部３２は、それぞれ本体部２０の前立ち壁部２３ｄ１と後立ち壁部２３ｄ２によって、主として前後から支持される。
【００２７】
図１及び図２に示すように、ロアフレーム１４は前面視で略Ｕ字状をしており、積層した複数枚のカーボン繊維織物をエポキシ樹脂のマトリクス樹脂で固めた繊維強化複合樹脂成形品である。ロアフレーム１４は、メイン部１４ａと、メイン部１４ａの右側に配設され右サイドフレーム１１の下端部側及びアッパアーム１５との連結部である右連結部１４ｂと、左サイドフレーム１２の下端部側との連結部である左連結部１４ｃと、を有する。メイン部１４ａには図示しないリブが設けられて剛性が高められている。右連結部１４ｂは、水平面で切った断面が前方に開口する略Ｕ字状に形成され、右サイドフレーム１１の後右面取り部１１ｇ、後面部１１ｄ、後左面取り部１１ｆにそれぞれ対応する右面部１４ｂ１、後面部１４ｂ２、左面部１４ｂ３を有する。左連結部１４ｃは、水平面で切った断面が前方に開口する略Ｕ字状に形成され、左サイドフレーム１２の後左面取り部１２ｇ、後面部１２ｄ、後右面取り部１２ｆにそれぞれ対応する左面部１４ｃ１、後面部１４ｃ２、右面部１４ｃ３を有する。また、左席の自動車用シートのバックフレーム１０においては、図９を参照して、右サイドフレーム１２０の後右面取り部１２０ｇ、後面部１２０ｄ、後左面取り部１２０ｆにそれぞれ右面部１４ｂ１、後面部１４ｂ２、左面部１４ｂ３が対応する。また、左サイドフレーム１１０の後左面取り部１１０ｇ、後面部１１０ｄ、後右面取り部１１０ｆにそれぞれ左面部１４ｃ１、後面部１４ｃ２、右面部１４ｃ３が対応する。すなわち、ロアフレーム１４も右席の自動車用シートのバックフレーム１０と左席の自動車用シートのバックフレーム１０とで兼用できる。
【００２８】
図１〜図３、図７に示すように、右サイドフレーム１１と左サイドフレーム１２の上端部側には、上方からアッパフレーム１３が被せつけられる。この状態で、アッパフレーム１３の右壁部２４と、左壁部２５とが、それぞれ、右サイドフレーム１１の右側面部１１ａ及び後右面取り部１１ｇと、左サイドフレーム１２の左側面部１２ａ及び後左面取り部１２ｇとに当接されて４本のリベットＲで締結固定される。次に、右サイドフレーム１１の下端部側にはアッパアーム１５が取付けられた状態で、後方からロアフレーム１４の右連結部１４ｂが被せつけられ、右サイドフレーム１１の後右面取り部１１ｇとロアフレーム１４の右面部１４ｂ１とが当接されて４本のリベットＲで締結固定される。また、同一の状態で、右サイドフレーム１１の後左面取り部１１ｆとロアフレーム１４の左面部１４ｂ３とが当接されて３本のリベットＲで締結固定される。次に、左サイドフレーム１２の下端部側には後方からロアフレーム１４の左連結部１４ｃが被せつけられ、左サイドフレーム１２の後左面取り部１２ｇとロアフレーム１４の左面部１４ｃ１とが当接されて３本のリベットＲで締結固定される。また、同一の状態で、左サイドフレーム１２の後右面取り部１２ｆとロアフレーム１４の右面部１４ｃ３とが当接されて３本のリベットＲで締結固定される。これによって、左サイドフレーム１２、右サイドフレーム１１、アッパフレーム１３、ロアフレーム１４が連結されて前面視で略矩形状のバックフレーム１０が形成される。なお、バックフレーム１０はアッパアーム１５のリクライナ連結部１５ｂと、左サイドフレーム１２のリクライナ連結部１２ｈと、がそれぞれリクライナ（図示せず）を介してシートクッションフレーム（図示せず）の後端部側に取付けられる。
【００２９】
以上のように構成される本実施形態は、以下のような作用効果を奏する。右サイドフレーム１１の横断面の外形線形状と左サイドフレーム１２の横断面の外形線形状とは左右の中心線に関して線対称形状であるので、同一のアッパフレーム１３の左右には右サイドフレーム１１と左サイドフレーム１２とがいずれも選択的に取付けられる。これによって、左右の自動車用シートで右サイドフレーム１１と左サイドフレーム１２の取付け側が左右異なっても同一のアッパフレームが使用できる。また、右サイドフレーム１１の横断面の断面二次モーメントは左サイドフレーム１２の横断面の断面二次モーメントより大きいので右サイドフレーム１１を構成する面部の方が左サイドフレーム１２を構成する対応する面部より少なくとも一部の面部において肉厚が厚い。これによって、右サイドフレーム１１の曲げ剛性を左サイドフレーム１２の曲げ剛性より高められる。すなわち、アッパフレーム１３の種類の増加を抑制して左右のサイドフレーム１１、１２の曲げ強度が異なる構造を提供できる。
【００３０】
また、右サイドフレーム１１にシートベルト装置のウェビングから印加される曲げ荷重は主として右サイドフレーム１１を前後方向に曲げるように作用する。これによって、右サイドフレーム１１の横断面における左右方向に延びる軸に関する断面二次モーメントを左サイドフレーム１２の横断面における左右方向に延びる軸に関する断面二次モーメントより大きくすることで効率的にバックフレーム１０の曲げ剛性を高めることができる。換言すれば、左サイドフレーム１２の剛性を必要以上に高めなくてよいため重量の増加を抑制できる。また、右サイドフレーム１１と左サイドフレーム１２の横断面とは、押出し成形により変形七角形の閉断面に形成されている。これによって、右サイドフレーム１１の曲げ剛性を効率的に高められるとともに、アッパフレーム１３に対して右サイドフレーム１１及び左サイドフレーム１２の回転を抑制して強固に取付けることができる。
【００３１】
さらに、右サイドフレーム１１の横断面の前後方向の面部である前面部１１ｃと後面部１１ｄは、左サイドフレーム１２の横断面の前後方向の面部である前面部１２ｃと後面部１２ｄより肉厚に形成されている。これによって、効率よくバックフレーム１０の前後方向の曲げ剛性を高めることができる。
【００３２】
以上、特定の実施形態について説明したが、本発明は、それらの外観、構成に限定されず、本発明の要旨を変更しない範囲で種々の変更、追加、削除が可能である。例えば、次のようなものが挙げられる。
【００３３】
１．上記実施形態では、アッパフレーム１３において本体部２０の右端部側にベルトガイド部２３ｂを、左端部側に台座部２３ｃを形成した。しかし、これに限らずベルトガイド部２３ｂを、左右両端部側に設けてもよい。この場合、本体部２０は右席左席で同一形状となりベルトガイド部２３ｂの配設位置を成形型の入れ子によって作り分ける必要がなくなる。
【００３４】
２．上記実施形態では、右サイドフレーム１１の横断面の前後方向の面部である前面部１１ｃと後面部１１ｄを、左サイドフレーム１２の横断面の前後方向の面部である前面部１２ｃと後面部１２ｄより肉厚に形成した。しかし、これに限らず、右サイドフレーム１１の横断面の他の面部を左サイドフレーム１２の横断面の他の面部より肉厚に形成してもよいし、右サイドフレーム１１の横断面のすべての面部を左サイドフレーム１２の横断面のすべての面部より肉厚に形成してもよい。もちろん、断面二次モーメントを大きくできるならば右サイドフレーム１１の横断面のいずれの面部を左サイドフレーム１２の横断面の対応するいずれの面部より肉厚に形成してもよい。
【００３５】
３．上記実施形態では、右サイドフレーム１１の右側面部１１ａ及び後右面取り部１１ｇの右側面が、アッパフレーム１３の右壁部２４の左側面に当接し、左サイドフレーム１２の左側面部１２ａ及び後左面取り部１２ｇの左側面が、アッパフレーム１３の左壁部２５の右側面に当接するようにアッパフレーム１３を形成した。しかし、これに加えて、右サイドフレーム１１の前面部１１ｃ及び／又は後面部１１ｄが、アッパフレーム１３の前壁部２１及び／又は後壁部２２に当接し、左サイドフレーム１２の前面部１２ｃ及び／又は後面部１２ｄが、アッパフレーム１３の前壁部２１及び／又は後壁部２２に当接するようにアッパフレーム１３を形成してもよい。
【００３６】
４．上記実施形態では、本体部２０を繊維強化複合樹脂製とし蓋部材３０をアルミニウム製とした。しかし、これに限らず、本体部２０をアルミニウムやマグネシウム等の軽合金製としてもよいし、蓋部材３０をカーボンやガラス等の繊維強化複合樹脂製としてもよい。さらに、本体部２０、蓋部材３０とも鉄製にすることも妨げられない。
【００３７】
５．上記実施形態では、本発明を自動車のシートに適用したが、飛行機、船、電車等に搭載のシートに適用しても良い。
【符号の説明】
【００３８】
１０   バックフレーム
１１   右サイドフレーム（第１サイドフレーム）
１２   左サイドフレーム（第２サイドフレーム）
１３   アッパフレーム
１１０ 左サイドフレーム（第１サイドフレーム）
１２０ 右サイドフレーム（第２サイドフレーム）
ＣＬ   左右方向中心線
【図１】
0006662197.tif 000002
【図２】
0006662197.tif 000003
【図３】
0006662197.tif 000004
【図４】
0006662197.tif 000005
【図５】
0006662197.tif 000006
【図６】
0006662197.tif 000007
【図７】
0006662197.tif 000008
【図８】
0006662197.tif 000009
【図９】
0006662197.tif 000010